(57)【要約】【課題】  本発明はガソリン等の給油設備のクラウドシステムに係り、特に液面計が検知する液面レベルや、タンクや配管の腐食や油漏れを検知し、インターネット等のネットワークを介して管理サーバに自動的に送信し、メンテナンスを迅速に行うことを可能とする給油設備のクラウドシステムを提供するものである。【解決手段】  給油設備に設けられたコンピュータと、該コンピュータと通信ネットワークを介して接続された管理サーバと、を備えた給油設備のクラウドシステムであって、上記コンピュータには給油設備の情報を分析する分析手段と、該分析結果に基づいてメンテナンス、又は異常が発生した場合、前記情報を前記管理サーバに送信する送信手段と、を備える給油設備のクラウドシステムを提供する。【選択図】  図１
2018151728.tif 000002
【特許請求の範囲】
【請求項１】
給油取扱所に設けられたコンピュータと、
該コンピュータと通信ネットワークを介して接続された管理サーバと、を備えた給油設備のクラウドシステムであって、
前記コンピュータには前記給油設備の情報を分析する分析手段と、
該分析結果に基づいてメンテナンス、又は異常が発生した場合、前記情報を前記管理サーバに送信する送信手段と、
を備えることを特徴とする給油設備のクラウドシステム。
【請求項２】
前記サーバには、前記給油設備の情報を記憶する設備管理データベースが構築され、前記コンピュータからの情報を前記設備管理データベースに書込み、メンテナンスサーバに前記情報を通知することを特徴とする請求項１に記載の給油設備のクラウドシステム。
【請求項３】
前記コンピュータには前記給油設備の情報を分析し、該分析結果に基づいてメンテナンス、又は異常が発生した場合、前記情報を前記管理サーバに送信するソフトウエアがインストールされていることを特徴とする請求項１、又は２に記載の給油設備のクラウドシステム。
【請求項４】
前記メンテナンスサーバは前記管理サーバからの通知に従って、メンテナンス処理を行うことを特徴とする請求項２、又は３に記載の給油設備のクラウドシステム。
【請求項５】
前記給油設備はガソリンスタンドであることを特徴とする請求項１、２、３、又は４に記載の給油設備のクラウドシステム。
【請求項６】
前記給油設備の情報は、埋設タンクの液面情報、又は埋設タンクの液漏れ情報、又は埋設配管の腐食情報であることを特徴とする請求項１、２、３、４、又は５に記載の給油設備のクラウドシステム。
【発明の詳細な説明】
【技術分野】
【０００１】
本発明はガソリン等の油類を収納する地下タンクや地下配管の設備を備える給油設備のクラウドシステムに係り、特にインターネット等のネットワークを介して液面管理や油漏れ等の情報を自動的に管理サーバに通報し、メンテナンスを迅速に行う給油設備のクラウドシステムを提供するものである。
【背景技術】
【０００２】
今日、油（ガソリン）漏れによる土壌汚染が大きな社会問題となっている。このような油漏れは、長年の使用により埋設配管や地下タンクが古くなり、埋設配管や地下タンクに腐蝕が生じ、発生する場合が多い。また、ガソリン等の油類を収納する地下タンクの液面計の管理も重要であり、液面変化を自動的に監視し、注油等の管理を自動的に行うことも切望されている。
【０００３】
このため、従来の給油取扱所や地下タンク貯蔵所等の危険物を取り扱う施設では、使用する配管をスチール配管（鋼製配管）とし、その外面に腐蝕防止のため塗覆設又はコーティングの処置を施している。また、液面管理については、インターネット等のネットワークを介してクラウドサービスによって解決することも可能である。
【０００４】
尚、地下タンクの場合、点検口を利用して内部の腐蝕や孔蝕を定期的に点検し、必要に応じて補修、改修を行っている。また、例えば特許文献１に開示するような、高度な加工技術が不要でかつ施工手間が少ない合成樹脂製の埋設タンクの提案も行われている。
【先行技術文献】
【特許文献】
【０００５】
【特許文献１】特開２００３−２６１１９５号公報
【発明の概要】
【発明が解決しようとする課題】
【０００６】
しかしながら、埋設配管や地下タンクのメンテナンスを行なう場合、当該施設が設置されたガソリンスタンド等の給油取扱所や地下タンク貯蔵所には人が常駐することが条件である。この為、例えば設備が山間部や人里離れた場所に設置されている場合、問題のある設備に迅速に作業者を向かわせることができない。
また、人が常駐するガソリンスタンド等においても、タンクの液面管理や、埋設タンクや配管に異常が発生した場合、インターネット等の通信回線を使用し、液面変化や異常をサーバに自動的に通報し、メンテナンスを迅速に行う給油設備のクラウドサービスが期待されている。
【０００７】
そこで、本発明は上記課題を解決するため、ガソリンスタンド等の給油取扱所や地下タンク貯蔵施設に設置されたコンピュータに専用のソフトウエアを導入し、タンクの液面変化や、埋設配管や地下タンクから油漏れ等の異常が発生した場合、上記専用のソフトウエアを駆動し、タンクの液面変化や異常をサーバに通報すると共に、当該サーバに連動するメンテナンスシステムを使用して迅速に給油設備のメンテナンスを迅速に行う給油設備のクラウドサービスを提案するものである。
【課題を解決するための手段】
【０００８】
本発明は上記課題を解決するため、給油取扱所に設けられたコンピュータと、該コンピュータと通信ネットワークを介して接続された管理サーバと、を備えた給油設備のクラウドシステムであって、上記コンピュータには給油取扱所の情報を分析する分析手段と、該分析結果に基づいてメンテナンス、又は異常が発生した場合、当該情報を管理サーバに送信する送信手段と、を備える給油設備のクラウドシステムを提供することによって達成できる。この為、上記コンピュータには給油取扱所の情報を分析し、該分析結果に基づいてメンテナンス、又は補修が必要な場合、上記情報を前記管理サーバに送信するソフトウエアがインストールされている。
【０００９】
また、上記管理サーバには、給油取扱所の情報を記憶するデータベースが構築され、コンピュータからの情報をデータベースに書込み、更にメンテナンスサーバに上記情報を通知し、メンテナンスサーバは上記管理サーバからの通知に従って、メンテナンス処理を行う。
【発明の効果】
【００１０】
本発明によれば、ガソリンスタンド等の給油取扱所や地下タンク貯蔵施設に設置されたコンピュータに専用のソフトウエアを導入し、タンクの液面変化や、埋設配管や地下タンクから油漏れ等の異常を迅速に検知し、クラウドサービスを利用してメンテナンスや補修を行うことができる。
【図面の簡単な説明】
【００１１】
【図１】本実施形態の給油設備のクラウドシステムのシステム構成図である。
【図２】給油設備のクラウドシステムを説明する具体例であり、管理サーバと給油設備との接続関係を示す図である。
【図３】給油設備のクラウド機能を説明する図である。
【図４】給油設備のクラウドサービスを説明するフローチャートであり、同図の左はパソコン側の処理を示し、右は管理サーバ側の処理を示す。
【図５】メンテナンスサーバの処理を説明するフローチャートである。
【図６】管理サーバのディスプレイに表示される「液面レベル情報」の例を示す図である。
【図７】管理サーバのディスプレイに表示される「油漏れ情報」の例を示す図である。
【発明を実施するための形態】
【００１２】
以下、本発明の実施の形態について図面を参照しながら説明する。
図１は本実施形態の給油設備のクラウドシステムのシステム構成図である。同図において、本システムは管理サーバ１と複数のガソリンスタンド等の給油設備２をインターネット等の通信回線で接続したクラウドサービスを提供するシステムである。尚、本システムにおいて、２−１〜２−３はガソリンスタンド等の給油設備であり、２−４〜２−５は地下タンク貯蔵所であり、２−６〜２−８は山間部や人里離れた常駐が困難な場所に設置された給油設備である。
【００１３】
そして、夫々の設備には当該設備を管理するコンピュータが設置されており、夫々の設備の管理を行っている。例えば、ガソリンスタンド等の給油設備であれば、埋設タンクの液面管理やタンクからの油漏れの検知、配管の腐食等の管理を行い、山里離れた地下タンク貯蔵所であれば、タンクからの油漏れの検知や、配管の腐食等の管理のみならず、設備管理も行う。
【００１４】
図２は本例の給油設備のクラウドシステムを説明する具体例であり、管理サーバ１と給油設備２との接続関係を示し、管理サーバ１には設備管理データベース４が接続され、この設備管理データデース４には上記ガソリンスタンド等の多数の給油設備２の管理情報が記録されている。ここで、ガソリンスタンド等の給油設備２−１には、例えば３台のパソコン３−１〜３−３が配設され、給油設備２−２には２台のパソコン３−４〜３−５が配設され、給油設備２−３には２台のパソコン３−６〜３−７が配設されている。
【００１５】
これらのパソコン３−１〜３−７の中には本例の給油設備のクラウドサービスを提供するソフトウエアがインストールされている。尚、図示しないが、地下タンク貯蔵所等の他の設備においても、同様にパソコンが設置され、夫々の設備管理を行うと共に、当該パソコンには本例の給油設備のクラウドサービスを提供するソフトウエアがインストールされている。
【００１６】
図３は本例の給油設備のクラウド機能を説明する具体例として、管理サーバ１と給油設備２−１のパソコン３（例えば、パソコン３−１）との接続関係を示し、上記のように管理サーバ１には設備管理データデース４が接続され、パソコン３−１（給油設備２−１）と管理サーバ１は通信回線で接続され、データの授受が可能である。
【００１７】
パソコン３−１は、ＣＰＵ５、ＲＯＭ６、ＲＡＭ７、ハードディスク８等で構成され、ＣＰＵ５はＲＯＭ６に登録されたシステムプログラムに従って処理を行う。また、パソコン３−１には給油設備のクラウドサービスを行うプログラム９がインストールされ、例えば図３に示すＵＳＢ１０によって導入される。尚、クラウドサービスを行うプログラム９の導入は、ＵＳＢ１０に限らず、例えば同図に示すＣＤ−ＲＯＭ１１や、ネットワーク配信１２等の各種手段を使用して行うことができる。また、パソコン３−１のディスプレイ１３には、当該給油設備の液面管理やタンクからの油漏れの検知、配管の腐食等の管理情報が表示される。
【００１８】
次に、本発明の給油設備のクラウドサービスについて説明する。図４は給油設備のクラウドサービスを説明するフローチャートであり、同図の左はパソコン３−１側の処理を示し、右は管理サーバ１側の処理を示す。
【００１９】
先ず、給油設備を備えるガソリンスタンド２−１では、埋設タンクに設置された液面計の情報や、埋設タンクの油漏れ検知、埋設配管の腐食等の情報を取得する。（ステップ（以下、Ｓで示す）１）。そして、パソコン３−１のディスプレイ１３には、液面計で計測した液面レベルや、埋設タンクの油漏れの有無、埋設配管の腐食情報等の情報が表示される。
【００２０】
次に、パソコン３−１は前述のクラウドサービスのプログラム９を駆動し、先ず液面計で計測した液面レベルが注油レベルに達しているか判断する（Ｓ２）。ここで、液面レベルが予め設定された注油レベルに達している場合（Ｓ２がＹＥＳ）、管理サーバ１にこの情報を送信する（Ｓ３）。
【００２１】
管理サーバ１では、パソコン３−１〜３−ｎから出力される各種信号や通知を監視しており（ステップ（以下、ＳＴで示す）１）、例えばパソコン３−１から上記情報を受信すると（ＳＴ２がＹＥＳ）、管理サーバ１はメンテナンスサーバに当該情報を送信する（送信Ａ）。メンテナンスサーバでは上記情報を受信すると（ステップ（以下、ＳＴＰで示す）１）、直ちにメンテナンス会社に通知を行い、依頼があった給油設備に注油用の車両を送る（ＳＴＰ２）。
【００２２】
尚、この時管理サーバ１のディスプレイ１３には上記情報に基づき、図６に示す表示を行う。例えば、「液面レベル情報」の表示と共に注油が必要なことを示すランプ１３ａの点滅と共に、同時に注油が必要な給油設備の設備名及び当該設備の設置住所の情報、及び現在の液面レベルの情報を表示する。
【００２３】
一方、前述の給油設備２−１の液面レベルが予め設定された注油レベルに達していない場合（Ｓ２がＮＯ）、次に埋設タンクの油漏れが発生しているか判断する（Ｓ３）。ここで、埋設タンクに油漏れが発生している場合（Ｓ４がＹＥＳ）、管理サーバ１にこの情報を送信する（Ｓ５）。
【００２４】
管理サーバ１では、前述のようにパソコン３−１〜３−ｎから出力される各種信号や通知を監視しており、上記情報を受信すると（ＳＴ３がＹＥＳ）、管理サーバ１はメンテナンスサーバに当該情報を送信する（送信Ｂ）。メンテナンスサーバでは上記情報を受信すると（ＳＴＰ３）、直ちにメンテナンス会社に通知を行い、依頼があった給油設備に油漏れの補修を行う作業者を送る（ＳＴＰ４）。
【００２５】
尚、この時管理サーバ１のディスプレイ１３には上記情報に基づき、図７に示す表示を行う。例えば、「油漏れ情報」の表示と共に、油漏れが発生したことを示すランプ１３ａの点滅と共に、同時に補修が必要な給油設備の設備名及び当該設備の設置住所の情報を表示する。
【００２６】
次に、前述の液面レベルに問題がなく、埋設タンクの油漏れも発生していない場合、更に埋設配管の腐食情報を確認する（Ｓ６）。ここで、埋設配管の腐食レベルが予め設定したレベルを超えている（Ｓ６がＹＥＳ）、管理サーバ１にこの情報を送信する（Ｓ７）。
【００２７】
管理サーバ１では、前述のようにパソコン３−１〜３−ｎから出力される各種信号や通知を監視しており、上記情報を受信すると（ＳＴ４がＹＥＳ）、管理サーバ１はメンテナンスサーバに当該情報を送信する（送信Ｃ）。メンテナンスサーバでは上記情報を受信すると（ＳＴＰ５）、直ちにメンテナンス会社に通知を行い、依頼があった給油設備に埋設配管の腐食の補修を行う作業者を送る（ＳＴＰ６）。
この場合も前述と同様、管理サーバ１のディスプレイ１３には上記情報に基づき、対応する表示を行う。
【００２８】
以上の様に本実施形態の給油設備のクラウドサービスを行うソフトウエアを使用することによって、給油設備のオーナーは自動的に給油設備の情報を管理サーバ１に送り、設備のメンテナンスや設備の補修を行うことができ、極めて便利なシステムとすることができる。
【００２９】
尚、上記実施形態の説明では、タンクの液面レベルの管理や、埋設タンクの油漏れ検知、埋設配管の腐食について説明したが、上記内容に限らず、他の給油設備の管理についても対応する情報を管理サーバ１に送信することによって、同様に給油設備の管理を自動的に行うことができる。
【符号の説明】
【００３０】
１・・・管理サーバ１
２−１〜２−３・・ガソリンスタンド等の給油設備
２−４〜２−５・・地下タンク貯蔵所
２−６〜２−８・・常駐が困難な場所に設置された給油設備
３−１〜３−７・・パソコン
４・・・設備管理データデース
５・・・ＣＰＵ
６・・・ＲＯＭ
７・・・ＲＡＭ
８・・・ハードディスク
９・・・給油設備のクラウドサービスを行うプログラム
１０・・ＵＳＢ
１１・・ＣＤ−ＲＯＭ
１２・・ネットワーク配信
１３・・ディスプレイ
【図１】
2018151728.tif 000003
【図２】
2018151728.tif 000004
【図３】
2018151728.tif 000005
【図４】
2018151728.tif 000006
【図５】
2018151728.tif 000007
【図６】
2018151728.tif 000008
【図７】
2018151728.tif 000009